(57)【要約】【課題】カーシェアリングシステムを有効に活用すること。【解決手段】情報配信装置１００は、予め登録された利用者間で複数の車両を共有するカーシェアリングシステムに用いられる。情報配信装置１００は、第１受信部１０２と、作成部１０３と、配信部１０４とを備える。第１受信部１０２は、複数の車両の出発地および目的地の情報を受信する。作成部１０３は、第１受信部１０２によって受信された情報を用いて、各車両の運行に関するリストを作成する。配信部１０４は、作成部１０３によって作成されたリストの情報を、車両への便乗を希望する便乗利用者に配信する。【選択図】図１
2009258927.tif 000002
【特許請求の範囲】
【請求項１】
予め登録された利用者間で複数の車両を共有するカーシェアリングシステムに用いられる情報配信装置であって、
前記複数の車両の出発地および目的地の情報を受信する第１受信手段と、
前記第１受信手段によって受信された前記情報を用いて、各車両の運行に関するリストを作成する作成手段と、
前記作成手段によって作成されたリストの情報を、前記車両への便乗を希望する便乗利用者に配信する配信手段と、
を備えることを特徴とする情報配信装置。
【請求項２】
前記便乗利用者から当該便乗利用者の出発地および目的地の情報を受信する第２受信手段と、
前記リストの中から、前記第２受信手段によって受信された前記出発地および目的地近傍を走行する車両を抽出する車両情報抽出手段と、
をさらに備え、
前記配信手段は、前記車両情報抽出手段によって抽出された前記車両の運行情報を、前記便乗利用者に配信することを特徴とする請求項１に記載の情報配信装置。
【請求項３】
前記第２受信手段は、前記便乗利用者から当該便乗利用者の現在位置の情報を受信し、
車両情報抽出手段は、前記リストの中から、前記第２受信手段によって受信された前記現在位置周辺を走行する車両を抽出することを特徴とする請求項２に記載の情報配信装置。
【請求項４】
前記車両を運転する運転利用者に対して便乗を希望する際の一定の希望条件を、前記利用者ごとに、予め設定する希望条件設定手段と、
前記第２受信手段によって受信される便乗利用者の識別情報を用いて、予め登録されている利用者の中から、便乗利用者を特定する特定手段と、
をさらに備え、
前記車両情報抽出手段は、前記特定手段によって特定された前記便乗利用者ごとに、前記リストの中から、前記希望条件を満たしている運転利用者に対応する車両を抽出し、
前記配信手段は、前記車両情報抽出手段によって抽出された前記車両の運行情報を当該便乗利用者に配信することを特徴とする請求項２または３に記載の情報配信装置。
【請求項５】
前記第１受信手段は、前記車両から、当該車両の定員に関する情報を受信し、
前記第２受信手段は、前記便乗利用者から、便乗を指定する車両の情報を受信するものであり、
前記車両の定員に関する情報と、前記便乗を指定した車両の情報とに基づいて、各車両の空席数を検出する空席検出手段をさらに備え、
前記車両情報抽出手段は、前記空席検出手段によって前記車両に空席が検出された場合に、当該車両を抽出することを特徴とする請求項２〜４のいずれか一つに記載の情報配信装置。
【請求項６】
前記便乗利用者に便乗を許可するための一定の許可条件を、前記利用者ごとに、予め設定する許可条件設定手段と、
予め登録される利用者の中から、前記許可条件を満たしている前記便乗利用者を抽出する便乗利用者抽出手段と、
をさらに備え、
前記配信手段は、前記便乗利用者抽出手段によって抽出された前記便乗利用者に、前記リストを配信することを特徴とする請求項１〜５のいずれか一つに記載の情報配信装置。
【請求項７】
前記運転利用者が前記便乗利用者を便乗させた際の走行履歴情報を取得する取得手段と、
前記取得手段によって取得された前記走行履歴情報に基づいて、前記運転利用者に対する所定の報酬を算出する算出手段と、
をさらに備え、
前記配信手段は、前記算出手段によって算出された前記所定の報酬の情報を前記運転利用者に配信することを特徴とする請求項１〜６のいずれか一つに記載の情報配信装置。
【請求項８】
前記算出手段は、前記走行履歴情報に基づいて、前記便乗利用者に対する所定の債務を算出し、
前記配信手段は、前記算出手段によって算出された前記所定の債務の情報を前記便乗利用者に配信することを特徴とする請求項７に記載の情報配信装置。
【請求項９】
予め登録された利用者間で車両を共有するカーシェアリングシステムに用いられる情報配信装置であって、
前記車両への便乗を希望する便乗利用者に対し、便乗を許可するための一定の基準となる許可条件を、車両を運転する運転利用者ごとに予め設定する許可条件設定手段と、
前記便乗利用者から、便乗を希望する旨の情報を受信する便乗希望受信手段と、
前記便乗希望受信手段によって前記情報が受信された際に、前記許可条件設定手段に設定されている前記許可条件を用いて、当該便乗希望者を便乗させることのできる前記運転利用者を抽出する運転利用者抽出手段と、
前記運転利用者抽出手段によって抽出された前記運転利用者に、便乗を依頼する旨の情報を配信する配信手段と、
を備えることを特徴とする情報配信装置。
【請求項１０】
予め登録された利用者間で複数の車両を共有するカーシェアリングシステムに用いられる情報配信装置の情報配信方法であって、
前記複数の車両の出発地および目的地の情報を受信する第１受信工程と、
前記第１受信工程にて受信された前記情報を用いて、各車両の運行に関するリストを作成する作成工程と、
前記作成工程にて作成されたリストの情報を、前記車両への便乗を希望する便乗利用者に配信する配信工程と、
を含むことを特徴とする情報配信方法。
【請求項１１】
予め登録された利用者間で車両を共有するカーシェアリングシステムに用いられ、前記車両への便乗を希望する便乗利用者に対し、便乗を許可するための一定の基準となる許可条件を、車両を運転する運転利用者ごとに予め設定する許可条件設定部を備えた情報配信装置の情報配信方法であって、
前記便乗利用者から、便乗を希望する旨の情報を受信する便乗希望受信工程と、
前記便乗希望受信工程にて前記情報が受信された際に、前記許可条件設定部に設定されている前記許可条件を用いて、当該便乗希望者を便乗させることのできる前記運転利用者を抽出する運転利用者抽出工程と、
前記運転利用者抽出工程にて抽出された前記運転利用者に、便乗を依頼する旨の情報を配信する配信工程と、
を含むことを特徴とする情報配信方法。
【請求項１２】
請求項１０または１１に記載の情報配信方法をコンピュータに実行させることを特徴とする情報配信プログラム。
【請求項１３】
請求項１２に記載の情報配信プログラムを記録したことを特徴とするコンピュータに読み取り可能な記録媒体。
【発明の詳細な説明】
【技術分野】
【０００１】
この発明は、車両などの移動体に搭載される情報配信装置、情報配信方法、情報配信プログラム、および記録媒体に関する。ただし、この発明は、上述の情報配信装置、情報配信方法、情報配信プログラム、および記録媒体に限られない。
【背景技術】
【０００２】
近年、原油の高騰化が進み、自動車を保有する敷居が高くなりつつある。また、脱原油の波も受け、世界的規模で次世代自動車（燃料電池自動車・電気自動車・水素自動車等）の研究・開発が加速し、一般実用化に向けて進んでいる。また、原油乱用による地球温暖化に対する意識も今後さらに高まるとされ、世界的な規模で自動車に対する解決策が模索されている。
【０００３】
そこで、予め登録された複数の会員で車両を共有するカーシェアリングという車両の利用態様が広まりつつある（たとえば、下記特許文献１参照）。またレンタカーという車両の利用態様も、同様の問題への解決方法の一つとしてかねてから実施されている。このようなカーシェアリングにより、車両の全体の台数を削減したり、個人での車両の維持管理を不要としたり、公共交通機関の利用が促進されたりするなど、様々なメリットが得られる。特に交通が過密状態にあり、維持費用が高額な都市部においては、カーシェアリングやレンタカーに対するニーズが大きいものとなっている。
【０００４】
【特許文献１】特開２００７−１８３７４９号公報
【発明の開示】
【発明が解決しようとする課題】
【０００５】
しかしながら、上述した特許文献１に記載の技術は、たとえば、複数の会員がそれぞれ１人で乗車して同じような時刻に同じような行き先に向かう場合には、消費燃料や運転の労力が無駄であるばかりか、空きの車両の数を少なくしてしまい、カーシェアリングシステムを有効に活用することができないといった問題が一例として挙げられる。
【課題を解決するための手段】
【０００６】
上述した課題を解決し、目的を達成するため、請求項１の発明にかかる情報配信装置は、予め登録された利用者間で複数の車両を共有するカーシェアリングシステムに用いられる情報配信装置であって、前記複数の車両の出発地および目的地の情報を受信する第１受信手段と、前記第１受信手段によって受信された前記情報を用いて、各車両の運行に関するリストを作成する作成手段と、前記作成手段によって作成されたリストの情報を、前記車両への便乗を希望する便乗利用者に配信する配信手段と、を備えることを特徴とする。
【０００７】
また、請求項９の発明にかかる情報配信装置は、予め登録された利用者間で車両を共有するカーシェアリングシステムに用いられる情報配信装置であって、前記車両への便乗を希望する便乗利用者に対し、便乗を許可するための一定の基準となる許可条件を、車両を運転する運転利用者ごとに予め設定する許可条件設定手段と、前記便乗利用者から、便乗を希望する旨の情報を受信する便乗希望受信手段と、前記便乗希望受信手段によって前記情報が受信された際に、前記許可条件設定手段に設定されている前記許可条件を用いて、当該便乗希望者を便乗させることのできる前記運転利用者を抽出する運転利用者抽出手段と、前記運転利用者抽出手段によって抽出された前記運転利用者に、便乗を依頼する旨の情報を配信する配信手段と、を備えることを特徴とする。
【０００８】
また、請求項１０の発明にかかる情報配信方法は、予め登録された利用者間で複数の車両を共有するカーシェアリングシステムに用いられる情報配信装置の情報配信方法であって、前記複数の車両の出発地および目的地の情報を受信する第１受信工程と、前記第１受信工程にて受信された前記情報を用いて、各車両の運行に関するリストを作成する作成工程と、前記作成工程にて作成されたリストの情報を、前記車両への便乗を希望する便乗利用者に配信する配信工程と、を含むことを特徴とする。
【０００９】
また、請求項１１の発明にかかる情報配信方法は、予め登録された利用者間で車両を共有するカーシェアリングシステムに用いられ、前記車両への便乗を希望する便乗利用者に対し、便乗を許可するための一定の基準となる許可条件を、車両を運転する運転利用者ごとに予め設定する許可条件設定部を備えた情報配信装置の情報配信方法であって、前記便乗利用者から、便乗を希望する旨の情報を受信する便乗希望受信工程と、前記便乗希望受信工程にて前記情報が受信された際に、前記許可条件設定部に設定されている前記許可条件を用いて、当該便乗希望者を便乗させることのできる前記運転利用者を抽出する運転利用者抽出工程と、前記運転利用者抽出工程にて抽出された前記運転利用者に、便乗を依頼する旨の情報を配信する配信工程と、を含むことを特徴とする。
【００１０】
また、請求項１２の発明にかかる情報配信プログラムは、請求項１０または１１に記載の情報配信方法をコンピュータに実行させることを特徴とする。
【００１１】
また、請求項１３の発明にかかる記録媒体は、請求項１２に記載の情報配信プログラムをコンピュータに読み取り可能に記録したことを特徴とする。
【発明を実施するための最良の形態】
【００１２】
以下に添付図面を参照して、この発明にかかる情報配信装置、情報配信方法、情報配信プログラム、および記録媒体の好適な実施の形態を詳細に説明する。
【００１３】
（実施の形態）
（情報配信装置の機能的構成）
この発明の実施の形態にかかる情報配信装置の機能的構成について説明する。なお、情報配信装置は、予め登録された利用者が例えば基本料金を支払うことにより、当該利用者間で車両を共有するカーシェアリングシステムに用いられるものである。なお、カーシェアリングシステムでは、車両の借車または返車などの管理をおこなうためのターミナルが存在する。
【００１４】
図１は、本実施の形態にかかる情報配信装置の機能的構成の一例を示すブロック図である。図１において、情報配信装置１００は、登録部１０１と、第１受信部１０２と、作成部１０３と、配信部１０４と、第２受信部１０５と、車両情報抽出部１０６と、希望条件設定部１０７と、特定部１０８と、許可条件設定部１０９と、便乗利用者抽出部１１０と、空席検出部１１１と、取得部１１２と、算出部１１３とを備えている。
【００１５】
登録部１０１は、ユーザＩＤやパスワードなどの識別情報や、性別や年齢などの個人情報などを用いて利用者を登録する。登録部１０１に登録されている利用者が、共有の車両を運転したり、共有の車両に便乗したりできるようになっている。なお、車両を運転する運転利用者として登録する場合には運転資格を有する者のみが登録でき、車両に便乗する便乗利用者としてのみの登録をおこなう場合には運転資格のない者でも登録することが可能である。
【００１６】
第１受信部１０２は、複数の車両の出発地および目的地の情報を受信する。出発地および目的地は、代表的には、ターミナルであるが、任意のエリアや地点とすることも可能である。出発地および目的地の情報は、車両の出発地および目的地における時間帯の情報を含み、たとえば、現在走行中の車両によるリアルタイムの情報でもよいし、車両を運転する運転利用者が車両を予約した際の今後の予定となる情報でもよい。第１受信部１０２は、運転利用者が使用する、ナビゲーション装置、携帯電話装置、ＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔ）などの通信可能な電子機器から出発地および目的地の情報を受信する。
【００１７】
作成部１０３は、第１受信部１０２によって受信された情報を用いて、各車両の運行に関するリストを作成する。運行に関するリストは、車両ごとの運行を一覧化したものであり、具体的には、たとえば、車両の出発地、目的地、出発時刻、目的地到達予定時刻などを示したものである。なお、このリストに、運転利用者の個人情報、過去に便乗させた回数の情報、利用者同士で評価した運転利用者に対する評価情報、経由可能であることを示す情報や予定ルートを示す情報などを含ませることも可能である。
【００１８】
配信部１０４は、作成部１０３によって作成されたリストの情報を、車両への便乗を希望する便乗利用者に配信する。配信部１０４による配信のタイミングは、便乗利用者からリストの配信を要求する旨の情報を受信したときとしてもよいし、所定の間隔で定期的に配信してもよい。配信部１０４は、便乗利用者が使用する、携帯電話装置、ＰＣ、ＰＤＡなどの通信可能な電子機器に情報を配信する。この配信を受けて、便乗利用者がリストの中から車両を指定するとともに、指定した車両を運転する運転利用者が当該便乗利用者の便乗を許容すれば、便乗の予約が完了する。
【００１９】
また、第２受信部１０５は、便乗利用者から当該便乗利用者の出発地および目的地の情報を受信する。この出発地および目的地の情報は、それぞれの地点の情報でもよいし、それぞれのエリアの情報であってもよいし、それぞれの地点を含む経路の情報であってもよい。また、この出発地および目的地の情報には、便乗利用者が便乗を希望する時間帯の情報を含む。
【００２０】
また、車両情報抽出部１０６は、リストの中から、第２受信部１０５によって受信された出発地および目的地近傍を走行する車両を抽出する。この場合、配信部１０４は、車両情報抽出部１０６によって抽出された車両の運行情報を、便乗利用者に配信する。
【００２１】
なお、便乗利用者の出発地がターミナルではない場合、すなわち、任意のエリアや地点の場合、リストには、たとえば、車両ごとに乗車することのできる位置の情報を含めてもよい。なお、乗車することのできる位置は、便乗利用者の出発地の情報や各車両の運行情報から、車両が停車でき且つ便乗利用者の出発地近傍の地点として特定される位置である。乗車できる位置は、必ずしも車両の経路上とは限らず、経路から逸脱する場合を想定し、予め逸脱可能な範囲を設定しておけばよい。
【００２２】
また、便乗利用者がリストの中から便乗する車両を指定した場合、配信部１０４は、運転利用者および便乗利用者に、双方をお互いに認識させるための情報を配信する。双方をお互いに認識させる情報は、たとえば、各利用者の性別や年齢などの情報であり、特に、便乗利用者に対しては、便乗する車両の種別や色の情報などを含ませてもよい。
【００２３】
また、第２受信部１０５は、便乗利用者から当該便乗利用者の現在位置の情報を受信する。車両情報抽出部１０６は、リストの中から、第２受信部１０５によって受信された現在位置周辺を走行する車両を抽出する。この場合、配信部１０４は、現在位置周辺の車両の運行情報を便乗利用者に配信する。
【００２４】
また、希望条件設定部１０７は、車両を運転する運転利用者に対して便乗を希望する際の一定の希望条件を、利用者ごとに予め設定する。一定の条件は、性別、年齢、出身地などの個人情報を用いた条件や、利用者同士で評価した便乗利用者に対する評価情報を用いた条件などが挙げられる。
【００２５】
特定部１０８は、第２受信部１０５によって受信される便乗利用者の識別情報を用いて、登録部１０１に予め登録されている利用者の中から、便乗利用者を特定する。車両情報抽出部１０６は、特定部１０８によって特定された便乗利用者ごとに、リストの中から、希望条件を満たしている運転利用者に対応する車両を抽出する。配信部１０４は、車両情報抽出部１０６によって抽出された車両の運行情報を当該便乗利用者に配信する。
【００２６】
また、第１受信部１０２は、車両から、当該車両の定員に関する情報を受信する。第２受信部１０５は、便乗利用者から、便乗を指定する車両の情報を受信する。なお、第１受信部１０２によって受信された車両の定員に関する情報と、第２受信部１０５によって受信された便乗を指定した車両の情報とは、たとえば、図示しない格納部に格納される。
【００２７】
空席検出部１１１は、車両の定員に関する情報と、便乗を指定した車両の情報とに基づいて、各車両の空席数を検出する。車両情報抽出部１０６は、空席検出部１１１によって車両に空席が検出された場合に、当該車両を抽出する。なお、乗車可能な便乗利用者の人数は、車両の定員と、運転利用者を含む同伴する同伴者の人数との差から導くことができる。具体的には、車両の定員が４人であり、運転利用者が同伴者を含めて３人で車両を利用する場合、乗車可能な便乗利用者の人数は１人となる。なお、空席検出部１１１によって車両の乗車人数が定員に達したことが検出された際には、車両情報抽出部１０６による当該車両の抽出はおこなわれず、すなわち、配信部１０４による当該車両の運行情報の配信はおこなわれない。
【００２８】
許可条件設定部１０９は、便乗利用者に便乗を許可するための一定の許可条件を、利用者ごとに、予め設定する。一定の条件は、性別、年齢、出身地などの個人情報を用いた条件や、便乗利用者に対する他の利用者の評価情報を用いた条件などが挙げられる。便乗利用者抽出部１１０は、予め登録される利用者の中から、許可条件を満たしている便乗利用者を抽出する。配信部１０４は、便乗利用者抽出部１１０によって抽出された便乗利用者に、リストを配信する。
【００２９】
取得部１１２は、運転利用者が便乗利用者を便乗させた際の走行履歴情報を取得する。算出部１１３は、取得部１１２によって取得された走行履歴情報に基づいて、運転利用者に対する所定の報酬を算出する。所定の報酬は、具体的には、金額に関する報酬であり、たとえば、基本料金のディスカウントによるものなどである。なお、このほかにも報酬は、ポイントの獲得やサービスの享受などとしてもよい。また、算出部１１３は、便乗させた回数の多さや許可条件の少なさなどに応じて報酬を増額するなどしてもよい。算出部１１３により算出された所定の報酬は、支払金額などを管理する図示せぬ管理部などに記録されるほか、配信部１０４によって運転利用者に配信される。
【００３０】
また、算出部１１３は、取得部１１２によって取得された走行履歴情報に基づいて、便乗利用者に対する所定の債務を算出する。債務は、具体的には、料金の支払いやポイントの還元などである。なお、この場合の料金は、車両を借りる場合に比べて低額とする。また、算出部１１３は、便乗した回数の多さや希望条件の少なさなどに応じて債務を減額するなどしてもよい。算出部１１３によって算出された所定の債務の情報は、上記管理部などに記録されるほか、配信部１０４によって便乗利用者に配信される。
【００３１】
なお、本実施の形態では、主に、便乗利用者に対して運行情報を提供する場合について説明したが、運転利用者に対して便乗利用者の情報を配信するようにした形態とすることも可能である。この場合、情報配信装置１００は、許可条件設定部１０９と、図示せぬ便乗希望受信部と、図示せぬ運転利用者抽出部と、配信部１０４とを備える。許可条件設定部１０９は、車両への便乗を希望する便乗利用者に対し、便乗を許可するための一定の基準となる条件を運転利用者ごとに予め設定する。
【００３２】
便乗希望受信部は、便乗利用者から、便乗を希望する旨の情報を受信する。便乗を希望する旨の情報は、具体的には、予約に関する情報であり、便乗利用者の出発地および目的地の情報を含む。運転利用者抽出部は、便乗希望受信部によって情報が受信された際に、許可条件設定部１０９に設定されている条件を用いて、当該便乗希望者を便乗させることのできる運転利用者を抽出する。配信部１０４は、運転利用者抽出部によって抽出された運転利用者に、便乗を依頼する旨の情報を配信する。便乗を依頼する旨の情報には、便乗利用者の出発地および目的地の情報などが含まれる。この配信を受けて、運転利用者が便乗を許容すれば、便乗の予約が完了する。
【００３３】
なお、このような構成においても、便乗利用者の現在位置の情報、便乗利用者の希望条件、車両の空席数などに応じて、運転利用者を抽出して、当該運転利用者に便乗を依頼する旨の情報を配信することも可能である。また、便乗させた際には、運転利用者に対して所定の報酬を与えるとともに、便乗利用者に対して所定の債務を負わせることも可能である。
【００３４】
（情報配信装置の情報配信処理手順）
つぎに、図２を用いて、情報配信装置１００の情報配信処理手順について説明する。図２は、本実施の形態にかかる情報配信装置１００の情報配信処理手順の一例を示すフローチャートである。
【００３５】
図２のフローチャートにおいて、情報配信装置１００は、第１受信部１０２により車両の出発地および目的地の情報を受信したか否かを判断する（ステップＳ２０１）。出発地および目的地の情報を受信するまで待機状態にあり（ステップＳ２０１：Ｎｏのループ）、当該情報を受信すると（ステップＳ２０１：Ｙｅｓ）、作成部１０３が各車両の運行に関するリストを作成する（ステップＳ２０２）。そして、配信部１０４がリストの情報を便乗利用者に配信し（ステップＳ２０３）、一連の処理を終了する。
【００３６】
以上説明したように、本実施の形態にかかる情報配信装置１００によれば、配信された各車両の運行に関するリストを基に、便乗利用者が所望する車両を指定して便乗することができる。このように、他の利用者が運転する車両に便乗可能にしたので、複数の利用者が同方向に向かう際の消費燃料や運転の労力を無駄にすることなく、また、空き状態の車両の数を増やすことができ、カーシェアリングシステムを有効に活用することができる。
【００３７】
また、便乗利用者の出発地および目的地近傍を走行する車両の運行情報を、便乗利用者に配信するようにすれば、便乗利用者にとって不要となる情報を配信することなく、便乗利用者は簡単且つ迅速に各車両の運行情報を把握することが可能になる。
【００３８】
また、現在位置周辺を走行する車両を抽出し、当該車両の運行情報を便乗利用者に配信するようにすれば、現時点で必要と見込まれる情報のみを便乗利用者に提示することができる。また、一定の希望条件を満たしている運転利用者の運行情報を便乗利用者に配信するようにすれば、希望条件を満たした便乗可能な運転利用者の運行情報を便乗利用者に提示することができる。
【００３９】
また、車両の定員に関する情報と、便乗を指定した車両の情報とを用いて、各車両の空席数を検出するようにすれば、空席のある車両の運行情報を便乗利用者に配信することができる。したがって、便乗利用者に対して満席状態となった不要な情報を提示することなく、利用者は簡単且つ迅速に各車両の運行情報を把握することが可能になる。
【００４０】
また、便乗利用者に便乗を許可するための一定の許可条件を満たしている便乗利用者に、リストを配信するようにすれば、運転利用者側の意向を反映させることができる。すなわち、運転利用者が便乗を許可しない便乗利用者に対して、当該運転利用者が運転する車両の運行情報を配信させないようにすることができる。したがって、運転利用者が許容しない便乗利用者を便乗させないようにすることができる。
【００４１】
また、便乗利用者を便乗させた際に、運転利用者に対する所定の報酬を算出して配信するようにすれば、運転利用者に対する便乗利用者の便乗を促進させることができ、車両の稼働率の向上や、便乗を活性化させることができる。また、便乗利用者に所定の債務を負わせるようにすれば、便乗利用者による便乗の乱用を防止できる。
【００４２】
また、運転利用者に対して便乗利用者の情報を配信するようにした形態であっても、運転利用者に対して、便乗に対する募集をおこなうようにしたため、運転利用者が所望する便乗利用者を便乗させることができる。したがって、複数の利用者が同方向に向かう際の消費燃料や運転の労力を無駄にすることなく、また、空き状態の車両の数を増やすことができ、カーシェアリングシステムを有効に活用することができる。
【実施例】
【００４３】
以下に、本発明の実施例について説明する。本実施例では、情報配信サーバ、便乗利用者が使用する端末装置、運転利用者が使用する端末装置、によって構成されるカーシェアリングシステムを実施した場合の一例について説明する。なお、実施の形態に示した情報配信装置１００は、情報配信サーバによって実現される。
【００４４】
（カーシェアリングシステムのシステム構成）
まず、図３を用いて、本実施例にかかるカーシェアリングシステムのシステム構成について説明する。図３は、本実施例にかかるカーシェアリングシステムのシステム構成図である。図３において、カーシェアリングシステム３００は、情報配信サーバ３１０と、便乗利用者端末装置３２０と、運転利用者端末装置３３０とで構成されている。
【００４５】
情報配信サーバ３１０は、便乗利用者端末装置３２０と、運転利用者端末装置３３０とに対して、インターネットなどのネットワークを介して接続される。情報配信サーバ３１０は、会員登録された利用者の情報の管理、車両の貸借管理、運行情報の管理、基本料金や支払いなどに関する管理などをおこなう。この情報配信サーバ３１０は、各車両の運行に関するリストを作成し、便乗利用者端末装置３２０や運転利用者端末装置３３０に配信する。また、情報配信サーバ３１０は、車両の出発地から目的地までの推奨経路を探索するとともに、当該車両が推奨経路を走行しているか否かを適宜管理する。
【００４６】
便乗利用者端末装置３２０は、たとえば、携帯電話端末３２１やＰＣ端末３２２などからなる。携帯電話端末３２１およびＰＣ端末３２２は、ネットワークに接続可能な通信機能を有する。この携帯電話端末３２１は、ＧＰＳ機能を有しており、便乗利用者の現在位置の情報を取得できるようになっている。ＰＣ端末３２２は、たとえば、自宅や、車両の貸借をおこなうターミナルに設置される。これら便乗利用者端末装置３２０は、情報配信サーバ３１０にリストを配信する旨の情報を送信するとともに、情報配信サーバ３１０から配信されたリストの情報を便乗利用者に提示する。
【００４７】
運転利用者端末装置３３０は、携帯電話端末３３１、ＰＣ端末３３２、ナビゲーション端末３３３などからなる。携帯電話端末３３１およびＰＣ端末３３２は、運転利用者から車両の予約を受け付け、受け付けた情報を情報配信サーバ３１０へ送信する。ナビゲーション端末３３３は、車両の現在位置の情報を取得するとともに、取得した情報を情報配信サーバ３１０へ送信する。また、これら運転利用者端末装置３３０は、情報配信サーバ３１０から配信された便乗を依頼する旨の情報を運転利用者に提示する。
【００４８】
（情報配信サーバのハードウェア構成）
図４を用いて、本実施例にかかる情報配信サーバ３１０のハードウェア構成について説明する。図４は、本実施例にかかる情報配信サーバ３１０のハードウェア構成の一例を示すブロック図である。
【００４９】
図４において、情報配信サーバ３１０は、ＣＰＵ４０１と、ＲＯＭ４０２と、ＲＡＭ４０３と、磁気ディスクドライブ４０４と、磁気ディスク４０５と、光ディスクドライブ４０６と、光ディスク４０７と、通信Ｉ／Ｆ４０８とを備えている。また、各構成部４０１〜４０８はバス４２０によってそれぞれ接続されている。
【００５０】
ＣＰＵ４０１は、情報配信サーバ３１０の全体の制御を司る。ＲＯＭ４０２やフラッシュＲＯＭ等の書換え可能な不揮発性メモリは、ブートプログラム、情報配信プログラム、などの各種プログラムを記録している。また、ＲＡＭ４０３は、ＣＰＵ４０１のワークエリアとして使用される。
【００５１】
情報配信プログラムは、通信Ｉ／Ｆ４０８により運転利用者端末装置３３０から受信された車両の出発地および目的地の情報を用いて、各車両の運行に関するリストを作成するとともに、作成したリストを便乗利用者端末装置３２０に配信するプログラムである。なお、作成したリストの詳細については、図６を用いて後述する。なお、図１に示した、作成部１０３は、ＣＰＵ４０１によって実現される。すなわち、ＣＰＵ４０１が情報配信プログラムを実行することにより、作成部１０３の機能を実現する。また、情報配信プログラムは、車両情報抽出プログラム、利用者特定プログラム、空席検出プログラム、便乗利用者情報抽出プログラム、対価算出プログラムを含む。
【００５２】
車両情報抽出プログラムは、通信Ｉ／Ｆ４０８により便乗利用者端末装置３２０から受信された便乗利用者の出発地、目的地、現在位置の情報を用い、リストの中から、当該出発地および目的地近傍を走行する車両や現在位置周辺を走行する車両を抽出するプログラムである。また、車両情報抽出プログラムは、ＲＡＭ４０３や磁気ディスク４０５などに記録される希望条件（運転利用者に対して便乗を希望する際の一定の条件）を用い、当該希望条件を満たしている運転利用者に対応する車両を抽出するプログラムである。抽出された情報は、通信Ｉ／Ｆ４０８を介して便乗利用者端末装置３２０へ送信される。なお、図１に示した、車両情報抽出部１０６は、ＣＰＵ４０１によって実現される。すなわち、ＣＰＵ４０１が車両情報抽出プログラムを実行することにより、車両情報抽出部１０６の機能を実現する。
【００５３】
利用者特定プログラムは、通信Ｉ／Ｆ４０８により便乗利用者端末装置３２０から受信された便乗利用者のＩＤを用いて、磁気ディスク４０５に記録（登録）されている利用者の中から、便乗利用者を特定するプログラムである。なお、特定された情報は、車両情報抽出プログラムによる車両の抽出に用いられる。なお、図１に示した、特定部１０８は、ＣＰＵ４０１によって実現される。すなわち、ＣＰＵ４０１が利用者特定プログラムを実行することにより、特定部１０８の機能を実現する。
【００５４】
空席検出プログラムは、通信Ｉ／Ｆ４０８により、運転利用者端末装置３３０から受信された車両の定員に関する情報と、便乗利用者端末装置３２０から受信された便乗を指定した車両の情報とを用いて、各車両の空席数を検出するプログラムである。検出された情報は、車両情報抽出プログラムによる車両の抽出に用いられる。なお、図１に示した、空席検出部１１１は、ＣＰＵ４０１によって実現される。すなわち、ＣＰＵ４０１が空席検出プログラムを実行することにより、空席検出部１１１の機能を実現する。
【００５５】
便乗利用者情報抽出プログラムは、ＲＡＭ４０３や磁気ディスク４０５などに記録される許可条件（便乗利用者に便乗を許可するための一定の条件）を用い、当該許可条件を満たしている便乗利用者を抽出するプログラムである。便乗利用者情報抽出プログラムにより抽出された便乗利用者に対して、通信Ｉ／Ｆ４０８を介して車両の運行情報が送信される。なお、図１に示した、便乗利用者抽出部１１０は、ＣＰＵ４０１によって実現される。すなわち、ＣＰＵ４０１が便乗利用者情報抽出プログラムを実行することにより、便乗利用者抽出部１１０の機能を実現する。
【００５６】
対価算出プログラムは、便乗利用者を便乗して走行した際の走行履歴情報に基づいて、運転利用者に対する所定の報酬、便乗利用者に対する所定の債務を算出するプログラムである。また、対価算出プログラムによって算出された情報は、通信Ｉ／Ｆ４０８を介して、便乗利用者端末装置３２０や運転利用者端末装置３３０のほか、磁気ディスク４０５に記録される。磁気ディスク４０５に記録された情報は、便乗利用者や運転利用者に対して請求する請求金額などの集計に用いられる。なお、図１に示した、算出部１１３は、ＣＰＵ４０１によって実現される。すなわち、ＣＰＵ４０１が対価算出プログラムを実行することにより、算出部１１３の機能を実現する。
【００５７】
磁気ディスクドライブ４０４は、ＣＰＵ４０１の制御にしたがって磁気ディスク４０５に対するデータの読み取り／書き込みを制御する。磁気ディスク４０５は、磁気ディスクドライブ４０４の制御で書き込まれたデータを記録する。磁気ディスク４０５としては、たとえば、ＨＤ（ハードディスク）やＦＤ（フレキシブルディスク）を用いることができる。
【００５８】
磁気ディスク４０５は、利用者の識別情報や個人情報などの会員情報や、基本料金の支払いや報酬などの料金に関する情報を記録する。なお、磁気ディスク４０５に記録される会員情報の詳細については、図５を用いて後述する。また、磁気ディスク４０５には、運転利用者に対して便乗を希望する際の一定の希望条件を、利用者（便乗利用者）ごとに、記録する。なお、この希望条件の詳細については、図７を用いて後述する。また、磁気ディスク４０５には、便乗利用者に便乗を許可するための一定の許可条件を、利用者（運転利用者）ごとに、記録する。なお、この許可条件の詳細については、図８を用いて後述する。なお、図１に示した、登録部１０１と、希望条件設定部１０７と、許可条件設定部１０９とは、磁気ディスク４０５によって実現される。
【００５９】
光ディスクドライブ４０６は、ＣＰＵ４０１の制御にしたがって光ディスク４０７に対するデータの読み取り／書き込みを制御する。光ディスク４０７は、光ディスクドライブ４０６の制御にしたがってデータの読み出される着脱自在な記録媒体である。光ディスク４０７は、書き込み可能な記録媒体を利用することもできる。また、この着脱自在な記録媒体として、光ディスク４０７のほか、ＭＯ、メモリカードなどであってもよい。
【００６０】
通信Ｉ／Ｆ４０８は、無線を介してネットワークに接続され、情報配信サーバ３１０とＣＰＵ４０１とのインターフェースとして機能する。通信Ｉ／Ｆ４０８は、さらに、無線を介してインターネットなどの通信網に接続され、この通信網とＣＰＵ４０１とのインターフェースとしても機能する。
【００６１】
通信Ｉ／Ｆ４０８は、リストの情報、車両の運行情報、報酬の情報、債務の情報などを、便乗利用者端末装置３２０または運転利用者端末装置３３０へ送信する。また、通信Ｉ／Ｆ４０８は、便乗利用者端末装置３２０から、便乗利用者の出発地、目的地、現在位置などの情報を受信する。また、通信Ｉ／Ｆ４０８は、運転利用者端末装置３３０から、車両の出発地および目的地の情報のほか、便乗利用者を便乗させて走行した際の走行履歴情報を受信する。なお、図１に示した、第１受信部１０２と、第２受信部１０５と、取得部１１２とは、通信Ｉ／Ｆ４０８によって実現される。
【００６２】
図１に示した本実施の形態における情報配信装置１００が備える、登録部１０１と、第１受信部１０２と、作成部１０３と、配信部１０４と、第２受信部１０５と、車両情報抽出部１０６と、希望条件設定部１０７と、特定部１０８と、許可条件設定部１０９と、便乗利用者抽出部１１０と、空席検出部１１１と、取得部１１２と、算出部１１３とは、図４に示した情報配信サーバ３１０におけるＲＯＭ４０２、ＲＡＭ４０３、磁気ディスク４０５、光ディスク４０７などに記録されたプログラムやデータを用いて、ＣＰＵ４０１が所定のプログラムを実行し、情報配信サーバ３１０における各部を制御することによってその機能を実現する。
【００６３】
すなわち、本実施例の情報配信サーバ３１０は、情報配信サーバ３１０における記録媒体としてのＲＯＭ４０２に記録されている情報配信プログラムをＣＰＵ４０１が実行することにより、図１に示した情報配信装置１００が備える機能を、図２に示した情報配信処理手順で実行することができる。
【００６４】
（磁気ディスクに記録される会員情報の一例）
つぎに、図５を用いて、磁気ディスク４０５に記録される会員情報の一例について説明する。図５は、磁気ディスク４０５に記録される会員情報の一例を示す説明図である。図５において、会員情報５００は、利用者を識別するための識別情報５０１と、個人情報５０２とからなる。
【００６５】
識別情報５０１は、ＩＤと、図示せぬパスワードからなる。個人情報５０２は、氏名、年齢、性別、運転歴、出身地からなる。符号５１０に示す「−」は、運転資格のないことを示している。つまり、ＩＤ「０００５」の利用者は、運転利用者として車両を借りることのできない利用者を示している。なお、個人情報には、このほかにも、現住所、誕生日、血液型、趣味、職業、自己紹介、最寄り駅、使用路線、朝夕の通勤時間帯、通勤所要時間などの情報を記録させてもよい。また、個人情報に加え、利用者同士で評価した評価情報、便乗した回数や便乗させた回数の情報などを記録させてもよい。
【００６６】
（情報配信サーバによって作成されるリストの一例）
つぎに、図６を用いて、情報配信サーバ３１０によって作成されるリストの一例について説明する。なお、情報配信サーバ３１０のリストの作成を含む情報配信処理については、図１０を用いて後述するものとし、まず、図６〜図９を用いて、リストの作成および車両の抽出について説明する。なお、図６〜図９を用いたリストの作成ならびに車両の抽出を、地点Ｔ１、地点Ｔ５の各々を出発地または目的地とし、地点Ｔ２，Ｔ３，Ｔ４の各々を出発地、目的地、経由地、近傍を通過する地点のいずれかとして説明する。
【００６７】
図６は、情報配信サーバ３１０によって作成されるリストの一例を示す説明図である。図６において、リスト６００は、識別情報５０１と、個人情報５０２と、運行情報６０１とからなる。リスト６００に示す利用者は、全て運転利用者である。運行情報６０１は、車両番号、出発地、目的地、乗車定員、同伴人数からなる。車両番号は、車両ごとに付され、車両を特定するための番号である。
【００６８】
出発地は、各運転利用者が車両を借りるターミナルを示している。目的地は、各運転利用者が車両を返却するターミナルである。乗車定員は、乗車できる最大の人数である。同伴人数は、運転利用者に同伴する同伴者の人数である。同伴人数に運転利用者の数（１人）を足した数と、乗車定員とが同じ値を示す場合は、便乗利用者を便乗させることができないことを示している。
【００６９】
（運転利用者に対する希望条件の一例）
つぎに、図７を用いて、運転利用者に対する希望条件の一例について説明する。図７は、運転利用者に対する希望条件の一例を示す説明図である。図７において、希望条件７１０は、図５に示した会員情報５００のＩＤ「０００３」に示す、便乗利用者「Ｃ」の運転利用者に対する希望条件を示している。なお、この希望条件７１０は、利用者が設定するものであり、適宜、設定変更可能である。また、希望条件７１０は、ここで挙げた項目のほかにも、現住所、誕生日、血液型、趣味、職業、自己紹介、最寄り駅、使用路線、朝夕の通勤時間帯、通勤所要時間、評価、便乗した回数、便乗させた回数などを含めてもよい。また、このような希望条件７１０は、他の利用者にもそれぞれ設定されている。
【００７０】
この便乗利用者「Ｃ」は、予約に関する情報として、ターミナルＴ１〜Ｔ３の便乗を希望している。希望条件７１０は、運転歴５年以上の２５歳以上の女性である。なお、便乗利用者が設定する条件が少ないほど、便乗時に支払う金額を減額されるようになっている。この希望条件７１０に１つでも合致しない運転利用者は、便乗利用者「Ｃ」の便乗対象から外される。たとえば、図６に示したリスト６００の中から、この条件に合致する運転利用者を抽出すると、利用者「Ａ」、「Ｆ」、「Ｇ」となる。一方、利用者「Ａ」、「Ｆ」、「Ｇ」にも、希望条件と同様に、便乗利用者に対する許可条件が設定されている。以下に、許可条件について説明する。
【００７１】
（便乗利用者に便乗を許可するための許可条件の一例）
つぎに、図８を用いて、便乗利用者に便乗を許可するための許可条件の一例について説明する。図８は、便乗利用者に便乗を許可するための許可条件の一例を示す説明図である。図８において、許可条件８１０，８２０，８３０は、それぞれ、図５に示した会員情報５００のＩＤ「０００１」、「０００６」、「０００７」に示す、利用者「Ａ」、「Ｆ」、「Ｇ」の便乗利用者に対する許可条件を示している。
【００７２】
図８において設定されている条件は、年齢、性別、出身地のみであるが、現住所、誕生日、血液型、趣味、職業、自己紹介、最寄り駅、使用路線、朝夕の通勤時間帯、通勤所要時間、評価、便乗した回数、便乗させた回数などを含めてもよい。なお、運転利用者が設定する条件が少ないほど、便乗させた際の報酬が増額されるようになっている。
【００７３】
許可条件８１０に示す運転利用者「Ａ」の条件は、女性であることのみとなっている。便乗利用者「Ｃ」は女性であるので、運転利用者「Ａ」の運転する車両に便乗することが可能である。なお、便乗利用者「Ｃ」は、運転利用者「Ａ」の許可条件については満たすものの、当該車両が満席になっている場合には、当該車両に便乗することができない。なお、車両の空席数の詳細については、図９を用いて後述する。
【００７４】
一方、許可条件８２０に示す運転利用者「Ｆ」の条件は、女性であることと、愛知県出身であることとなっている。これに対し、便乗利用者「Ｃ」の出身地は北海道であるため、便乗利用者「Ｃ」は、運転利用者「Ｆ」の便乗対象から除外される。したがって、便乗利用者「Ｃ」は、運転利用者「Ｆ」の運転する車両に便乗することができない。なお、この場合、運転利用者「Ｆ」の運行情報は、便乗利用者「Ｃ」に配信されない。
【００７５】
また、許可条件８３０に示す運転利用者「Ｇ」の条件は、年齢が２５歳以上であることとなっている。これに対し、便乗利用者「Ｃ」の年齢は２０歳であるため、便乗利用者「Ｃ」は、運転利用者「Ｇ」の便乗対象から除外される。したがって、便乗利用者「Ｃ」は、運転利用者「Ｇ」の運転する車両に便乗することができない。なお、この場合、運転利用者「Ｇ」の運行情報は、便乗利用者「Ｃ」に配信されない。
【００７６】
（便乗利用者が運転する車両の空席状況の一例）
つぎに、図９を用いて、便乗利用者が運転する車両の空席状況の一例について説明する。図９は、便乗利用者が運転する車両の空席状況の一例を示す説明図である。図９において、空席表９００は、運転利用者「Ａ」が運転する車両について示している。運転利用者「Ａ」の出発地はターミナルＴ１であり、目的地はターミナルＴ５である。また、車両の乗車定員は、運転利用者「Ａ」を含め４人である。なお、運転利用者「Ａ」に同伴者はおらず、便乗利用者を最大３人まで便乗することが可能になっている。
【００７７】
空席表９００は、各便乗利用者が便乗する区間に「○」を示している。符号９０１に示すＴ３〜Ｔ４の区間は、３人の便乗利用者が便乗するため、この区間での便乗を受け付けることができないようになっている。このような空席状況において、便乗利用者「Ｃ」は、ターミナルＴ１〜Ｔ３の便乗を希望している。空席表９００の当該区間には、空席が残っている。したがって、便乗利用者「Ｃ」は、便乗することが可能である。
【００７８】
このようにして、便乗可能な車両が抽出される。そして、便乗利用者「Ｃ」には、運転利用者「Ａ」の運行情報が配信される。なお、ここでは運転利用者「Ａ」のみを例に挙げたが、このような、行き先方向やお互いに条件を満たす他の車両が存在する場合には、当該他の車両の運行情報も配信される。そして、便乗利用者「Ｃ」が車両を指定する。
【００７９】
また、便乗利用者「Ｃ」に該当する車両が存在しない場合には、たとえば、図６に示したリストのうち、運転利用者側による許可条件を満たしている運行情報を全て便乗利用者「Ｃ」に配信するようにしたり、希望条件の基準の引き下げを告知する旨の情報を配信したりすればよい。なお、希望条件の基準を引き下げた上で、便乗する場合には、希望条件を引き下げた分、支払う金額を低減すればよい。
【００８０】
（情報配信サーバがおこなう情報配信処理の一例）
つぎに、図１０を用いて、情報配信サーバ３１０がおこなう情報配信処理の一例について説明する。図１０は、情報配信サーバ３１０がおこなう情報配信処理の一例を示すフローチャートである。
【００８１】
図１０のフローチャートにおいて、情報配信サーバ３１０のＣＰＵ４０１は、便乗利用者端末装置３２０から運行情報の配信を要求する旨の情報を受信したか否かを判断する（ステップＳ１００１）。配信を要求する旨の情報を受信するまで待機状態にあり（ステップＳ１００１：Ｎｏのループ）、当該情報を受信すると（ステップＳ１００１：Ｙｅｓ）、各車両の運行に関するリストの情報を取得する（ステップＳ１００２）。なお、このリストの情報は、車両から送信される出発地および目的地の情報を用いて、適宜更新しながら作成されるものであり、たとえば、磁気ディスク４０５に記録されている。
【００８２】
そして、便乗利用者の、出発時刻の情報を含む出発地および目的地の情報を取得する（ステップＳ１００３）。なお、出発地および目的地の情報は、たとえば、便乗を予約する旨の情報と同時に受信したものである。そして、リストの中から、出発時刻を加味し、出発地および目的地近傍を走行する車両の運行情報を抽出する（ステップＳ１００４）。なお、ステップＳ１００４において、出発地および目的地がターミナルの場合、当該ターミナルを走行する車両の情報を抽出する。さらに、希望条件を満たしている運転利用者に対応する車両の運行情報を抽出する（ステップＳ１００５）。
【００８３】
そして、当該便乗利用者が運転利用者によって設定される許可条件を満たすか否かを判断する（ステップＳ１００６）。許可条件を満たすと判断した場合（ステップＳ１００６：Ｙｅｓ）、当該車両に空席があるか否かを判断する（ステップＳ１００７）。空席があると判断した場合（ステップＳ１００７：Ｙｅｓ）、当該車両の運行情報を便乗利用者に配信する（ステップＳ１００８）。
【００８４】
このあと、便乗利用者から予約する旨の情報を受信したか否かを判断する（ステップＳ１００９）。予約する旨の情報を受信した場合（ステップＳ１００９：Ｙｅｓ）、運転利用者の了承の下、予約を完了させるとともに、運転利用者および便乗利用者に、乗車位置およびお互いを認識させるための情報を配信し（ステップＳ１０１０）、一連の処理を終了する。なお、乗車位置がターミナルではない場合、車両が停車でき且つ出発地近傍の地点として特定された地点である。
【００８５】
一方、ステップＳ１００６において、当該便乗利用者が運転利用者によって設定される許可条件を満たさないと判断した場合（ステップＳ１００６：Ｎｏ）、便乗利用者に便乗できる車両がない旨を配信し（ステップＳ１０１１）、一連の処理を終了する。また、ステップＳ１００７において、空席がないと判断した場合（ステップＳ１００７：Ｎｏ）、ステップＳ１０１１における、便乗できる車両がない旨を配信する。また、ステップＳ１００９において、予約する旨の情報を受信しない場合（ステップＳ１００９：Ｎｏ）、一連の処理を終了する。
【００８６】
なお、便乗できる車両がない場合、当該便乗利用者を便乗させるために、運転利用者に対して報酬を増額させるとともにその旨の情報を運転利用者に配信し、便乗させることのできる運転利用者を募集してもよい。
【００８７】
（情報配信サーバがおこなう情報案内処理の一例）
つぎに、図１１を用いて、情報配信サーバ３１０がおこなう情報案内処理の一例について説明する。図１１は、情報配信サーバ３１０がおこなう情報案内処理の一例を示すフローチャートである。なお、図１１に示す処理は、車内においておこなわれる処理であり、情報配信サーバ３１０がナビゲーション端末３３３を通信制御することによって、実行される処理である。
【００８８】
図１１においては、たとえば、ターミナルに無人管理される車両に対し、会員証などのＩＣカードによる認証をおこなって、ドアロックを解除した後、運転利用者が車両に乗車したことを前提とする。まず、ナビゲーション端末３３３に付設される読込装置にて個人認証をおこない、運転利用者の認証に成功したか否かを判断する（ステップＳ１１０１）。認証に失敗した場合（ステップＳ１１０１：Ｎｏ）、たとえば、車のエンジンがかからないように制御するなどして、一連の処理を終了する。
【００８９】
認証に成功した場合（ステップＳ１１０１：Ｙｅｓ）、目的ターミナルまでの推奨経路を設定する（ステップＳ１１０２）。そして、便乗利用者を乗車させる位置から所定範囲内に位置するまで待機し（ステップＳ１１０３：Ｎｏのループ）、所定範囲内に位置すると（ステップＳ１１０３：Ｙｅｓ）、乗車位置近傍である旨を通知する（ステップＳ１１０４）。なお、車両の現在位置は、ナビゲーション端末３３３によって取得される。そして、便乗利用者を乗車させた後、推奨経路から逸脱したか否かを判断する（ステップＳ１１０５）。
【００９０】
推奨経路から逸脱した場合（ステップＳ１１０５：Ｙｅｓ）、たとえば、車内に設けられるスピーカから推奨経路に戻る旨を警告する（ステップＳ１１０６）。そして、推奨経路に戻ったか否かを判断する（ステップＳ１１０７）。推奨経路に戻っていないと判断した場合（ステップＳ１１０７：Ｎｏ）、ステップＳ１１０６における警告をおこなう。推奨経路に戻ったと判断した場合（ステップＳ１１０７：Ｙｅｓ）、便乗利用者の降車位置から所定範囲内に位置したか否かを判断する（ステップＳ１１０８）。また、ステップＳ１１０５において、推奨経路から逸脱していないと判断した場合（ステップＳ１１０５：Ｎｏ）、ステップＳ１１０８における判断をおこなう。
【００９１】
所定範囲内に位置していないと判断した場合（ステップＳ１１０８：Ｎｏ）、ステップＳ１１０５における、推奨経路から逸脱したか否かを判断する。所定範囲内に位置したと判断した場合（ステップＳ１１０８：Ｙｅｓ）、便乗利用者を降車させる旨を通知する（ステップＳ１１０９）。そして、便乗利用者を降車させた後、目的ターミナルに到達したか否かを判断する（ステップＳ１１１０）。
【００９２】
目的ターミナルに到達するまで待機し（ステップＳ１１１０：Ｎｏのループ）、目的ターミナルに到達すると（ステップＳ１１１０：Ｙｅｓ）、便乗利用者を乗車させてから降車させるまでの走行履歴情報を取得する（ステップＳ１１１１）。そして、運転利用者に対する所定の報酬を算出するとともに、便乗利用者に対する所定の債務を算出する（ステップＳ１１１２）。
【００９３】
さらに、運転利用者に対する所定の報酬の情報を記録するとともに、便乗利用者に対する所定の債務の情報を記録する（ステップＳ１１１３）。このあと、運転利用者に所定の報酬の情報を配信するとともに、便乗利用者に所定の債務の情報を配信し（ステップＳ１１１４）、一連の処理を終了する。
【００９４】
上述したように、本実施例によれば、配信された各車両の運行に関するリストを基に、便乗利用者が所望する車両を指定して便乗することができる。このように、運転利用者が運転する車両への便乗を可能にしたので、複数の利用者が同方向に向かう際の消費燃料や運転の労力を無駄にすることなく、また、空き状態の車両の数を増やすことができ、カーシェアリングシステムを有効に活用することができる。
【００９５】
また、便乗利用者の出発地および目的地近傍を走行する車両の運行情報を、便乗利用者に配信するようにしたので、便乗利用者にとって不要となる情報を配信することなく、便乗利用者は簡単且つ迅速に各車両の運行情報を把握することが可能になる。
【００９６】
また、現在位置周辺を走行する車両を抽出し、当該車両の運行情報を便乗利用者に配信するようにすれば、現時点で必要と見込まれる情報のみを便乗利用者に提示することができる。また、希望条件を満たしている運転利用者の運行情報を便乗利用者に配信するようにしたので、希望条件を満たした便乗可能な運転利用者の運行情報を便乗利用者に提示することができる。
【００９７】
また、車両の定員に関する情報と、便乗を指定した車両の情報とを用いて、各車両の空席数を検出するようにしたので、空席のある車両の運行情報を便乗利用者に配信することができる。したがって、便乗利用者に対して満席状態となった不要な情報を提示することなく、利用者は簡単且つ迅速に各車両の運行情報を把握することが可能になる。
【００９８】
また、便乗利用者に便乗を許可するための許可条件を満たしている便乗利用者に、リストを配信するようにしたので、運転利用者側の意向を反映させることができる。すなわち、運転利用者が便乗を許可しない便乗利用者に対して、当該運転利用者が運転する車両の運行情報を配信させないようにすることができる。したがって、運転利用者が許容しない便乗利用者を便乗させないようにすることができる。
【００９９】
また、便乗利用者を便乗させた際に、運転利用者に対する所定の報酬を算出して配信するようにしたので、運転利用者に対する便乗利用者の便乗を促進させることができ、車両の稼働率の向上や、便乗を活性化させることができる。また、便乗利用者に所定の債務を負わせるようにすれば、便乗利用者による便乗の乱用を防止できる。
【０１００】
なお、本実施例では、主に、便乗利用者に対して運行情報を提供する場合について説明したが、運転利用者に対して便乗利用者の情報を配信するようにした形態とすることも可能である。この場合、便乗利用者からの便乗を希望する要求に対し、リスト６００（図６参照）から、行き先方向や時間が一致し、便乗利用者による希望条件および運転利用者による許可条件を満たす運転利用者を抽出する。
【０１０１】
そして、抽出した運転利用者に対して、便乗を依頼する旨の情報を配信する。この配信を受けて、たとえば、複数の運転利用者のうち、便乗を許容する者がいれば、便乗の予約が完了する。また、本実施例では、推奨経路から逸脱した場合に当該推奨経路に戻るまで戻る旨を警告しているが、たとえば、推奨経路を逸脱してから所定時間経過しても戻らない場合や逸脱した地点から所定距離離れた場合に、逸脱した車両の現在位置近傍に存在する保安車両にその旨を通知して対処するようにしてもよい。
【０１０２】
なお、このような構成においても、便乗利用者の現在位置の情報、便乗利用者の希望条件、車両の空席数などに応じて、運転利用者を抽出して、当該運転利用者に便乗を依頼する旨の情報を配信することも可能である。また、便乗させた際には、運転利用者に対して所定の報酬を与えるとともに、便乗利用者に対して所定の債務を負わせることも可能である。
【０１０３】
このような形態によれば、運転利用者に対して便乗に対する募集をおこなうことができるため、運転利用者が所望する便乗利用者を便乗させることができる。したがって、複数の利用者が同方向に向かう際の消費燃料や運転の労力を無駄にすることなく、また、空き状態の車両の数を増やすことができ、カーシェアリングシステムを有効に活用することができる。
【０１０４】
以上説明したように、本発明の情報配信装置、情報配信方法、情報配信プログラム、および記録媒体によれば、複数の利用者が同方向に向かう際の消費燃料や運転の労力を無駄にすることなく、また、空き状態の車両の数を増やすことができ、カーシェアリングシステムを有効に活用することができる。
【０１０５】
なお、本実施例で説明した情報配信方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【０１０６】
【図１】本実施の形態にかかる情報配信装置の機能的構成の一例を示すブロック図である。
【図２】本実施の形態にかかる情報配信装置の情報配信処理手順の一例を示すフローチャートである。
【図３】本実施例にかかるカーシェアリングシステムのシステム構成図である。
【図４】本実施例にかかる情報配信サーバのハードウェア構成の一例を示すブロック図である。
【図５】磁気ディスクに記録される会員情報の一例を示す説明図である。
【図６】情報配信サーバによって作成されるリストの一例を示す説明図である。
【図７】運転利用者に対する希望条件の一例を示す説明図である。
【図８】便乗利用者に便乗を許可するための許可条件の一例を示す説明図である。
【図９】便乗利用者が運転する車両の空席状況の一例を示す説明図である。
【図１０】情報配信サーバがおこなう情報配信処理の一例を示すフローチャートである。
【図１１】情報配信サーバがおこなう情報案内処理の一例を示すフローチャートである。
【符号の説明】
【０１０７】
１００  情報配信装置
１０１  登録部
１０２  第１受信部
１０３  作成部
１０４  配信部
１０５  第２受信部
１０６  車両情報抽出部
１０７  希望条件設定部
１０８  特定部
１０９  許可条件設定部
１１０  便乗利用者抽出部
１１１  空席検出部
１１２  取得部
１１３  算出部
３００  カーシェアリングシステム
３１０  情報配信サーバ
３２０  便乗利用者端末装置
３３０  運転利用者端末装置
【図１】
2009258927.tif 000003
【図２】
2009258927.tif 000004
【図３】
2009258927.tif 000005
【図４】
2009258927.tif 000006
【図５】
2009258927.tif 000007
【図６】
2009258927.tif 000008
【図７】
2009258927.tif 000009
【図８】
2009258927.tif 000010
【図９】
2009258927.tif 000011
【図１０】
2009258927.tif 000012
【図１１】
2009258927.tif 000013